【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
第１電極板、セパレータ及び第２電極板を積層して巻回して形成された電極群と、
前記電極群を巻回した終端部の所定領域に付着させたシーリングテープとを備え、
前記シーリングテープは、下記数式１のＹ１値が６４ないし８９であることを特徴とする電極組立体。
［数１］
Ｙ１＝引張強度×シーリングテープ厚さ／弾性率
(ここで、前記引張強度はシーリングテープの引張強度で、単位はｋｇｆ／ｃｍ２であり、前記シーリングテープ厚さの単位はμｍであり、前記弾性率はシーリングテープの弾性率で、単位はｋｇｆ／ｍｍ２である。)
【請求項２】
前記シーリングテープの厚さは、１５μｍないし１９μｍであることを特徴とする請求項１に記載の電極組立体。
【請求項３】
前記シーリングテープの幅Ｗは電極群の巻回し方向に１０ｍｍ以上であり、前記シーリングテープの長さＬは電極組立体の総高Ｈの２５％以上であることを特徴とする請求項１または請求項２に記載の電極組立体。
【請求項４】
前記シーリングテープは前記電極群の上部及び下部にそれぞれ付着され、前記それぞれのシーリングテープの幅Ｗは電極群の巻回し方向に１０ｍｍ以上であり、前記それぞれのシーリングテープの長さＬの合計は電極組立体の総高Ｈの２５％以上であることを特徴とする請求項１または請求項２に記載の電極組立体。
【請求項５】
前記シーリングテープの幅Ｗは電極群の巻回し方向に１０ｍｍ以上であり、前記シーリングテープの長さＬは電極組立体の総高Ｈと等しいことを特徴とする請求項１または請求項２に記載の電極組立体。
【請求項６】
前記シーリングテープは前記電極群の上部及び下部にそれぞれ付着され、前記それぞれのシーリングテープの長さＬの合計は電極組立体の総高Ｈの２５％以上であり、前記それぞれのシーリングテープの幅Ｗは電極群の巻回し方向に電極群の外側全体を覆う形態で付着されていることを特徴とする請求項１または請求項２に記載の電極組立体。
【請求項７】
前記シーリングテープは、前記電極群の巻回し方向に沿って前記電極群の終端部すべてを含んで前記電極群の外側全体を覆う形態で付着されることを特徴とする請求項１または請求項２に記載の電極組立体。
【請求項８】
前記シーリングテープはフィルム層及び粘着層を含んでおり、下記数式２のＹ２値が５１ないし７５であることを特徴とする電極組立体。
［数２］
Ｙ２＝引張強度×シーリングテープのフィルム層厚さ／弾性率
(ここで、前記引張強度はシーリングテープの引張強度で、単位はｋｇｆ／ｃｍ２の単位であり、前記シーリングテープのフィルム層厚さの単位はμｍであり、前記弾性率はシーリングテープの弾性率で、単位はｋｇｆ／ｍｍ２である。)
【請求項９】
第１電極板、セパレータ及び第２電極板を積層して巻回して形成された電極群と、
前記電極群を巻回した終端部の所定領域に付着させたシーリングテープとを備え、
前記シーリングテープは、フィルム層及び粘着層を含んでおり、下記数式２のＹ２値が５１ないし７５であることを特徴とする電極組立体。
［数２］
Ｙ２＝引張強度×シーリングテープのフィルム層厚さ／弾性率
(ここで、前記引張強度はシーリングテープの引張強度で、単位はｋｇｆ／ｃｍ２であり、前記シーリングテープ厚さの単位はμｍであり、前記弾性率はシーリングテープの弾性率で、単位はｋｇｆ／ｍｍ２である。)
【請求項１０】
前記シーリングテープの厚さは、１５μｍないし１９μｍであることを特徴とする請求項９に記載の電極組立体。
【請求項１１】
前記シーリングテープの幅Ｗは 電極群の巻回し方向に１０ｍｍ以上であり、前記シーリングテープの長さＬは電極組立体の総高Ｈの２５％以上であることを特徴とする請求項９または請求項１０に記載の電極組立体。
【請求項１２】
前記シーリングテープは前記電極群の上部及び下部にそれぞれ付着され、前記それぞれのシーリングテープの幅Ｗは電極群の巻回し方向に１０ｍｍ以上であり、前記それぞれのシーリングテープの長さＬの合計が電極組立体の総高Ｈの２５％以上であることを特徴とする請求項９または請求項１０に記載の電極組立体。
【請求項１３】
前記シーリングテープの幅Ｗは電極群の巻回し方向に１０ｍｍ以上であり、前記シーリングテープの長さＬは電極組立体の総高Ｈと等しいことを特徴とする請求項９または請求項１０に記載の電極組立体。
【請求項１４】
前記シーリングテープは前記電極群の上部及び下部にそれぞれ付着され、前記それぞれのシーリングテープの長さＬの合計が電極組立体の総高Ｈの２５％以上であり、前記それぞれのシーリングテープの幅Ｗは電極群の巻回し方向に電極群の外側全体を覆う形態で付着されていることを特徴とする請求項９または請求項１０に記載の電極組立体。
【請求項１５】
前記シーリングテープは、前記電極群の終端部のすべてにおいて、 前記電極群の巻回し方向に沿って 前記電極群の外側全体を覆う形態で付着されていることを特徴とする請求項９または請求項１０に記載の電極組立体。
【請求項１６】
電極組立体を含む二次電池において、
前記電極組立体は、
第１電極板、セパレータ及び第２電極板を積層して巻回して形成された電極群と、
前記電極群を巻回した終端部の所定領域に付着させたシーリングテープとを備え、
前記シーリングテープは、下記数式１のＹ１値が６４ないし８９であることを特徴とする二次電池。
［数１］
Ｙ１＝引張強度×シーリングテープ厚さ／弾性率
(ここで、前記引張強度はシーリングテープの引張強度で、単位はｋｇｆ／ｃｍ２であり、前記シーリングテープ厚さの単位はμｍであり、前記弾性率はシーリングテープの弾性率で、単位はｋｇｆ／ｍｍ２である。)
【請求項１７】
前記シーリングテープの厚さは、１５μｍないし１９μｍであることを特徴とする請求項１６に記載の二次電池。
【請求項１８】
前記シーリングテープの幅Ｗは電極群の巻回し方向に１０ｍｍ以上であり、前記シーリングテープの長さＬは電極組立体の総高Ｈの２５％以上であることを特徴とする請求項１６または請求項１７に記載の二次電池。
【請求項１９】
前記シーリングテープはフィルム層及び粘着層を含んでおり、下記数式２のＹ２値が５１ないし７５であることを特徴とする二次電池。
［数２］
Ｙ２＝引張強度×シーリングテープのフィルム層厚さ／弾性率
(ここで、前記引張強度はシーリングテープの引張強度で、単位はｋｇｆ／ｃｍ２の単位であり、前記シーリングテープのフィルム層厚さの単位はμｍであり、前記弾性率はシーリングテープの弾性率で、単位はｋｇｆ／ｍｍ２である。)
【請求項２０】
電極組立体を含む二次電池において、
前記電極組立体は、
第１電極板、セパレータ及び第２電極板が積層及び巻回して形成される電極群と、
前記電極群の終端部の所定領域に付着されるシーリングテープと、を備え、
前記シーリングテープは、フィルム層及び粘着層を含んでおり、下記数式２のＹ２値が５１ないし７５であることを特徴とする二次電池。
［数２］
Ｙ２＝引張強度×シーリングテープのフィルム層厚さ／弾性率
(ここで、前記引張強度はシーリングテープの引張強度で、単位はｋｇｆ／ｃｍ２の単位であり、前記シーリングテープのフィルム層厚さの単位はμｍであり、前記弾性率はシーリングテープの弾性率で、単位はｋｇｆ／ｍｍ２である。)
【請求項２１】
前記シーリングテープの厚さは、１５μｍないし１９μｍであることを特徴とする請求項２０に記載の二次電池。
【請求項２２】
前記シーリングテープの幅Ｗは電極群の巻回し方向に１０ｍｍ以上であり、前記シーリングテープの長さＬは電極組立体の総高Ｈの２５％以上であることを特徴とする請求項２０または請求項２１に記載の二次電池。